(57)【特許請求の範囲】
【請求項１】
回動筒を回動させることにより本体の先端に設けられた複数の爪を拡縮摺動させ、この爪により工具を挟持するチャック装置であって、前記本体には環状のラチェット歯が設けられ、また前記回動筒の内方にして前記本体には前記爪と螺合し前記回動筒と共に回動する環状のナット体が被嵌され、また前記ラチェット歯の外方には該ラチェット歯と係止する着脱自在な係止バネ体が配設され、この係止バネ体は前記ナット体の回動に伴い前記ラチェット歯の周囲を回動する状態で設けられ、この係止バネ体は前記ナット体に凹凸嵌合手段により取り付けられ、この凹凸嵌合手段は前記ナット体に設けられた突部により構成され、この突部は前記ラチェット歯と前記係止バネ体との間に配設され、更に前記ラチェット歯と前記係止バネ体が係止した状態及び該ラチェット歯と該係止バネ体との係止が解除した状態を保持する保持部が設けられ、この保持部は前記係止バネ体と前記回動筒の内面との凹凸嵌合手段であることを特徴とするチャック装置。
【請求項２】
請求項１記載のチャック装置において、前記保持部は、前記係止バネ体を所定の位置に保持することで、前記ラチェット歯と前記係止バネ体が係止した状態及び該ラチェット歯と該係止バネ体との係止が解除した状態を保持するように構成したものであることを特徴とするチャック装置。
【請求項３】
回動筒を回動させることにより本体の先端に設けられた複数の爪を拡縮摺動させ、この爪により工具を挟持するチャック装置であって、前記本体には環状のラチェット歯が設けられ、また前記回動筒の内方にして前記本体には前記爪と螺合し前記回動筒と共に回動する環状のナット体が被嵌され、また前記ラチェット歯の外方には該ラチェット歯と係止する着脱自在な係止バネ体が配設され、この係止バネ体は二つのバネ体から成り、一方の係止バネ体は前記ラチェット歯との係止作用を担うように構成され、他方の係止バネ体は前記回動筒の位置を保持することで前記一方の係止バネ体の位置を保持する作用を担うように構成され、これらの係止バネ体は前記ナット体の回動に伴い前記ラチェット歯の周囲を回動する状態で設けられ、これらの係止バネ体は前記ナット体に凹凸嵌合手段により取り付けられ、更に前記ラチェット歯と前記係止バネ体が係止した状態及び該ラチェット歯と該係止バネ体との係止が解除した状態を保持する保持部が設けられ、この保持部は前記本体と前記回動筒との間に配されると共に、前記係止バネ体と前記回動筒の内面とで構成され、更に、前記ナット体には前記凹凸嵌合手段を構成する突部が設けられ、この突部は前記ラチェット歯と前記係止バネ体との間に配設されていることを特徴とするチャック装置。
【請求項４】
請求項３記載のチャック装置において、前記保持部は、前記係止バネ体を所定の位置に保持することで、前記ラチェット歯と係止バネ体が係止した状態及び該ラチェット歯と該係止バネ体との係止が解除した状態を保持するように構成したものであることを特徴とするチャック装置。
【請求項５】
請求項３，４いずれか１項に記載のチャック装置において、前記保持部は前記係止バネ体と前記回動筒との凹凸嵌合手段であることを特徴とするチャック装置。
【請求項６】
請求項１〜５いずれか１項に記載のチャック装置において、前記係止バネ体の先端係止部と前記ラチェット歯との間に配設されることで該ラチェット歯から該先端係止部を離反させる介在体が前記回動筒に設けられていることを特徴とするチャック装置。
【発明の詳細な説明】
【０００１】
【発明の属する技術分野】
本発明は、工具を挟持するチャック装置に関するものである。
【０００２】
【従来の技術及び発明が解決しようとする課題】
従来から工具挟持用のチャック装置が提案されている。
【０００３】
これらのチャック装置は電動回動具に付設されるものであって、このチャック装置により所定の工具、例えば刃（ドリル）を挟持し、穴あけ作業等を行う。
【０００４】
ところで、電動回動具には衝撃や振動を付与する等、良好な穴明け作業を行うことを企図した所謂ハンマードリル，振動ドリル，ドライバードリル等がある。
【０００５】
この種の電動回動具は、軸方向に力（推力）を断続的に作用させるものや、回転方向に振動を断続的に作用させるものである為、締結されている工具に捩れ力が断続的に発生し、該工具が弛んでしまうという問題点がある。
【０００６】
本発明は、上記問題点を解決し、更に構造が簡易にして耐久性に秀れたチャック装置を提供するものである。
【０００７】
【課題を解決するための手段】
添付図面を参照して本発明の要旨を説明する。
【０００８】
回動筒１を回動させることにより本体２の先端に設けられた複数の爪３を拡縮摺動させ、この爪３により工具４を挟持するチャック装置であって、前記本体２には環状のラチェット歯５が設けられ、また前記回動筒１の内方にして前記本体２には前記爪３と螺合し前記回動筒１と共に回動する環状のナット体６が被嵌され、また前記ラチェット歯５の外方には該ラチェット歯５と係止する着脱自在な係止バネ体７，20が配設され、この係止バネ体７，20は前記ナット体６の回動に伴い前記ラチェット歯５の周囲を回動する状態で設けられ、この係止バネ体７，20は前記ナット体６に凹凸嵌合手段により取り付けられ、この凹凸嵌合手段は前記ナット体６に設けられた突部６ａ，６ｂ，６ｃ，６ｄにより構成され、この突部６ａ，６ｂ，６ｃ，６ｄは前記ラチェット歯５と前記係止バネ体７，20との間に配設され、更に前記ラチェット歯５と前記係止バネ体７，20が係止した状態及び該ラチェット歯５と該係止バネ体７，20との係止が解除した状態を保持する保持部が設けられ、この保持部は前記係止バネ体７，20と前記回動筒１の内面との凹凸嵌合手段であることを特徴とするチャック装置に係るものである。
【０００９】
また、請求項１記載のチャック装置において、前記保持部は、前記係止バネ体７，20を所定の位置に保持することで、前記ラチェット歯５と前記係止バネ体７，20が係止した状態及び該ラチェット歯５と該係止バネ体７，20との係止が解除した状態を保持するように構成したものであることを特徴とするチャック装置に係るものである。
【００１０】
また、回動筒１を回動させることにより本体２の先端に設けられた複数の爪３を拡縮摺動させ、この爪３により工具４を挟持するチャック装置であって、前記本体２には環状のラチェット歯５が設けられ、また前記回動筒１の内方にして前記本体２には前記爪３と螺合し前記回動筒１と共に回動する環状のナット体６が被嵌され、また前記ラチェット歯５の外方には該ラチェット歯５と係止する着脱自在な係止バネ体30，31、40，41が配設され、この係止バネ体30，31、40，41は二つのバネ体から成り、一方の係止バネ体30，40は前記ラチェット歯５との係止作用を担うように構成され、他方の係止バネ体31，41は前記回動筒１の位置を保持することで前記一方の係止バネ体30，40の位置を保持する作用を担うように構成され、これらの係止バネ体30，31、40，41は前記ナット体６の回動に伴い前記ラチェット歯５の周囲を回動する状態で設けられ、これらの係止バネ体30，31、40，41は前記ナット体６に凹凸嵌合手段により取り付けられ、更に前記ラチェット歯５と前記係止バネ体30，40が係止した状態及び該ラチェット歯５と該係止バネ体30，40との係止が解除した状態を保持する保持部が設けられ、この保持部は前記本体２と前記回動筒１との間に配されると共に、前記係止バネ体31，41と前記回動筒１の内面とで構成され、更に、前記ナット体６には前記凹凸嵌合手段を構成する突部６ａ，６ｂ，６ｃ，６ｄが設けられ、この突部６ａ，６ｂ，６ｃ，６ｄは前記ラチェット歯５と前記係止バネ体30，31、40，41との間に配設されていることを特徴とするチャック装置に係るものである。
【００１１】
また、請求項３記載のチャック装置において、前記保持部は、前記係止バネ体31，41を所定の位置に保持することで、前記ラチェット歯５と係止バネ体30，40が係止した状態及び該ラチェット歯５と該係止バネ体30，40との係止が解除した状態を保持するように構成したものであることを特徴とするチャック装置に係るものである。
【００１２】
また、請求項３，４いずれか１項に記載のチャック装置において、前記保持部は前記係止バネ体31，41と前記回動筒１との凹凸嵌合手段であることを特徴とするチャック装置に係るものである。
【００１３】
また、請求項１〜５いずれか１項に記載のチャック装置において、前記係止バネ体７，20，30，40の先端係止部７’，20’，30’,40’と前記ラチェット歯５との間に配設されることで該ラチェット歯５から該先端係止部７’，20’，30’，40’を離反させる介在体１ｃが前記回動筒１に設けられていることを特徴とするチャック装置に係るものである。
【００１４】
【発明の実施の形態】
図１〜４は、本発明の第一実施例を図示したもので、以下に説明する。
【００１５】
本体２に形成した孔２ａには三本の爪３が傾斜状態で設けられ、この爪３の外面に形成された螺子部３ａと螺合する環状のナット体６が該爪３に被嵌状態で設けられている。尚、このナット体６は分割ナット体６であって、保形環８により保形されたものである。
【００１６】
ナット体６には係止バネ体７を該ナット体６に対して、共回り状態で取り付ける突部６ａ，６ｂ，６ｃ，６ｄが４個設けられている。この突部６ａ，６ｂ，６ｃ，６ｄは必須のナット体６に設けられており、特別に該突部６ａ，６ｂ，６ｃ，６ｄを設ける部材を設ける必要がない為、それだけ本実施例は構成が簡易となる。
【００１７】
また、ナット体６の前方にして本体２には係止バネ体７の先端係止部７’と歯合する環状のラチェット歯５が形成されている。この先端係止部７’とラチェット歯５との係合により、ナット体６は一方向にのみ回転可能な状態（逆転不能状態）が現出する。
【００１８】
符号９は鋼球、10は鋼球受けである。この鋼球受け10は弾性を有している為、電動回動具の振動若しくは衝撃トルクにより、回動筒１が締付方向へ必要以上に回動することが防止される。
【００１９】
係止バネ体７は、金属製であり、ラチェット歯５の周囲にして回動筒１の内面に支持される状態で配設される。符号１ｂ，１ｅは回動筒１の回転力をナット体６に伝える為の突部である。
【００２０】
係止バネ体７には、図２，３，４に図示したように３つの突部７ａ，７ｂ，７ｃとラチェット歯５と係止する先端係止部７’が設けられ、また、後端部には突部６ｃに当接することでバネ力が良好に発揮される当接部７ｄが設けられている（当接部７ｄの反対側は突部６ｂで受けられる。）。この係止バネ体７の突部７ａ，７ｂと前記ナット体６の突部６ａ，６ｂにより、該係止バネ体７はナット体６と共回り状態に取り付けられる。
【００２１】
本実施例は、係止バネ体７，突部１ｂ，１ｅ及び突部６ａ，６ｂ，６ｃ，６ｄは同一円周上に配されている為、それだけコンパクトな設計が可能となる。
【００２２】
尚、係止バネ体７とナット体６との取り付けは、両者が共回り状態となる構成であれば、上記構成に限られない。
【００２３】
また、回動筒１の内面には係止バネ体７の先端係止部７’とラチェット歯５との係止の解除を確実に行なわせしめる為の介在体１ｃが設けられ、この介在体１ｃの先端テーパー面で先端係止部７’を受け、該先端係止部７’とラチェット歯５との係止（歯合）の解除を確実に行なわせしめる。
【００２４】
また、回動筒１の内面には、係止バネ体７の先端係止部７’を押え込み、該先端係止部７’とラチェット歯５の係止状態を維持する押え込み部１ｄが設けられている。
【００２５】
ナット体６には先端が本体２に受けられる回動筒１が被嵌され、この回動筒１はナット体６と共に回動するが、ナット体６の回動に所定の負荷がかかった際、ナット体６に対して所定角度だけ回動するように構成されている。
【００２６】
この回動筒１のナット体６に対しての所定角度の回動は、突部６ａと突部６ｂの間であり、具体的には、図３中のＬである。よって、回動筒１が回動し、負荷が作用すると回動筒１の突部１ａが係止バネ体７のバネ力に抗して突部７ｃを乗り越え、突部１ｂの端面が突部６ｂの端面Ｍに当接して（同様に、突部１ｅの端面が突部６ｄの端面に当接する。）、回動筒１とナット体６とは一体となり、増し締めが行われる。
【００２７】
この突部１ａの存在により該突部１ａがバネ力に抗して係止バネ体７の突部７ｃを乗り越えない限り、回動筒１が弛み方向に回動することはなく、よって、それだけ確実に弛み防止効果が発揮される。尚、係止バネ体７のバネ力、特に突部７ｂから当接部７ｄ間のバネ力と突部１ａ及び突部７ｃとの形状により、緩み防止力を設定できる。
【００２８】
更に、回動筒１（合成樹脂製）の外面には滑り防止凸条が形成され、また、回動筒１は先端が本体２に、後端が本体２に設けられた受け部材11に受けられている。
【００２９】
符号12は回動筒１のＣ字状抜け止めリングである。
【００３０】
第一実施例は上述のように構成したから、次の作用効果を奏する。
【００３１】
爪３で工具４を把持し、回動筒１を回動せしめると、回動筒１に所定の負荷がかかるまでは、回動筒１，ナット体６は一緒に回動し、よって、係止バネ体７もラチェット歯５の周囲を回動する。
【００３２】
回動筒１が所定の位置（爪３が工具４に当接する位置）まで回動すると、該回動筒１に所定の負荷が作用し（図３の状態）、その状態から更に図３中矢印方向にバネ力に抗して回動筒１を回動せしめると、回動筒１がナット体６に対して回動し、係止バネ体７の先端係止部７’を受けている介在体１ｃが移動するとともに回動筒１の押え込み部１ｄが先端係止部７’を押圧して該先端係止部７’はラチェット歯５と係止し、更に、回動筒１の突部１ａが係止バネ体７の突部７ｃを乗り越え（突部７ｃは図３中Ｔ側からＳ側へ位置し）、突部１ｂが突部６ｂの端面Ｍに、また、同様に突部１ｅが突部６ｄに当接して回動筒１とナット体６とは一体となり、更に回動筒１を回動させると、ラチェット歯５に係止している係止バネ体７の先端係止部７’が板バネ作用によりラチェット歯５を一歯ずつ乗り越えて所定のラチェット歯５に係止し（この状態はラチェット歯５により、逆転は生じない。）、回動筒１の回動抵抗が強くなって締まりは完了する（図４の状態）。
【００３３】
尚、一歯ずつ乗り越えている状態は未だ締まりが完了しておらず、締まりが完了すると歯の乗り越えは生じない。
【００３４】
この締まり状態は、突部７ｃと突部１ａにより保持されることになる。
【００３５】
また、この締結状態を解除するには、上記と逆であり、回動筒１を逆回動すると、Ｓ側に位置している突部７ｃは（図４の状態）、突部１ａを乗り越え、更に回動筒１を図４中矢印の方向へ回動させると、押え込み部１ｄによる先端係止部７’とラチェット歯５との係止（歯合）が解除され、更に、介在体１ｃが移動して係止バネ体７の先端係止部７’を持ち上げ、更に回動筒１を回動させることにより工具４の締結は弛むことになる。この状態、即ち、係止バネ体７の先端係止部７’とラチェット歯５との係合が解除した状態も突部７ｃと突部１ａにより保持される。
【００３６】
以上、第一実施例に係るチャック装置は工具４の締結の弛みが確実に防止され簡易構造にして耐久性に富む秀れたチャック装置となる。
【００３７】
第一実施例の介在体１ｃは係止バネ体７の先端係止部７’が不意にラチェット歯５と歯合しない為のものであるが（従って、介在体１ｃで受けられていない状態、即ち、押え込み部１ｄが先端係止部７’に当接していない状態では、バネの弾性により先端係止部７’はラチェット歯５から離反）、先端係止部７’とラチェット歯５との歯合を強制的に解除させるものとして構成しても良い。
【００３８】
図５〜８は、本発明の第二実施例を図示したもので、以下に説明する。
【００３９】
第二実施例は第一実施例の係止バネ体７を別構造としたものであり、その余は第一実施例と同様である。
【００４０】
以下にこの別構造の係止バネ体20について説明する。
【００４１】
第二実施例の係止バネ体20は一枚の環状のバネ板から成るものであり、第一実施例に比し、係止バネ体20が環状である為、それだけ該係止バネ体20は安定的に配設される。
【００４２】
符号20’は第一実施例の先端係止部７’に相当する部分、符号20ｃは第一実施例の突部７ｃに相当する部分、符号21は第一実施例の突部７ａ及び第一実施例の突部７ｂに相当する四つの切欠きであって、これらの切欠きは、ナット体６の突部６ａ，６ｂ，６ｃ，６ｄに被嵌され、これにより係止バネ体20は、ナット体６に回り止め状態で配設される。
【００４３】
図９〜１１は、本発明の第三実施例を図示したもので、以下に説明する。
【００４４】
第三実施例は、第一実施例の係止バネ体７を二体の係止バネ体30，31で構成したもので、一方の係止バネ体30は、ラチェット歯５との係止作用を担うものであり、また、他方の係止バネ体31は、回動筒１の位置を保持することで、前記係止バネ体30を所定の位置に保持する作用を担うものである。このように第三実施例は第一，第二実施例と異なり、ラチェット歯５との係止作用と、ラチェット歯５との係止状態保持作用及び係止解除状態保持作用とを別々のバネに担わせているものである。その余は第一実施例と同様である。尚、係止バネ体７を二体の係止バネ体30，31で構成したから、各係止バネ体30，31の材質，厚さ等を適宜設計することで各バネのバネ強さを任意に設定でき、よって、種々の用途・目的に対応させることが可能となる。
【００４５】
符号30’は第一実施例の先端係止部７’に相当する部分、符号30ａは第一実施例の突部７ａに相当する部分、符号30ｂは第一実施例の突部７ｂに相当する係止部、符号30ｃは第一実施例の突部７ｃに相当する部分、符号30ｄは突部６ｄとの係止部である。
【００４６】
図１２〜１３は、本発明の第四実施例を図示したもので、以下に説明する。
【００４７】
第四実施例は、第三実施例同様、第一実施例の係止バネ体７を二体の係止バネ体40，41で構成したもので、両係止バネ体40，41の端部の状態のみが、第三実施例と異なり、その余は第三実施例と同様である。
【００４８】
符号40’は第一実施例の先端係止部７’に相当する部分、符号40ａは第一実施例の突部７ａに相当する部分、符号40ｂは第一実施例の突部７ｂに相当する係止部、符号40ｃは第一実施例の突部７ｃに相当する部分、符号40ｄは突部６ｄとの係止部である。
【図面の簡単な説明】
【図１】  第一実施例の一部を切り欠いた正面図である。
【図２】  第一実施例の要部の分解斜視図である。
【図３】  第一実施例の作動説明に係る図１のＷ−Ｗ断面図である。
【図４】  第一実施例の作動説明に係る図１のＸ−Ｘ断面図である。
【図５】  第二実施例の一部を切り欠いた正面図である。
【図６】  第二実施例の要部の分解斜視図である。
【図７】  第二実施例の図３に相当するＹ−Ｙ断面図である。
【図８】  第二実施例の図４に相当するＺ−Ｚ断面図である。
【図９】  第三実施例の要部の分解斜視図である。
【図１０】  第三実施例の図３に相当する断面図である。
【図１１】  第三実施例の図４に相当する断面図である。
【図１２】  第四実施例の図３に相当する断面図である。
【図１３】  第四実施例の図４に相当する断面図である。
【符号の説明】
１  回動筒
１ｃ  介在体
２  本体
３  爪
４  工具
５  ラチェット歯
６  ナット体
７  係止バネ体
７’  先端係止部
20  係止バネ体
20’  先端係止部
30  係止バネ体
30’  先端係止部
31  係止バネ体
40  係止バネ体
40’  先端係止部
41  係止バネ体
【図１】
0004015857.tif 000002
【図２】
0004015857.tif 000003
【図３】
0004015857.tif 000004
【図４】
0004015857.tif 000005
【図５】
0004015857.tif 000006
【図６】
0004015857.tif 000007
【図７】
0004015857.tif 000008
【図８】
0004015857.tif 000009
【図９】
0004015857.tif 000010
【図１０】
0004015857.tif 000011
【図１１】
0004015857.tif 000012
【図１２】
0004015857.tif 000013
【図１３】
0004015857.tif 000014